(57)【要約】【課題】簡単な構成で、餌を無駄にすることが少なく、しかも給餌の対象とする野鳥の大きさを自動的に選別することが可能な鳥用給餌具を提供する。【解決手段】餌４を入れておく餌箱１と、餌箱１の下側に設けた餌受け皿３とを有し、餌箱１下面の排出口１ｂより餌４をその自重により排出して、餌受け皿３に餌４を供給する鳥用給餌具Ｓにおいて、一端に止まり木８を設け他端に重り９を設けて回動可能としたシーソー部材７を備え、止まり木８が餌受け皿３の近傍となるようにシーソー部材７を配置して、止まり木８に留まった鳥の体重が重り９に打ち勝つ大きさのときに、シーソー部材７が回動し、止まり木８が餌受け皿３から遠離するようにした構成とする。【選択図】      図１
2005006543.tif 000002
【特許請求の範囲】
【請求項１】
餌を入れておく餌箱と、該餌箱の下側に設けた餌受け皿とを有し、前記餌箱下面の排出口より前記餌をその自重により排出して、前記餌受け皿に前記餌を供給する鳥用給餌具において、
一端に止まり木を設け他端に重りを設けて回動可能としたシーソー部材を備え、前記止まり木が前記餌受け皿の近傍となるように前記シーソー部材を配置して、前記止まり木に留まった鳥の体重が前記重りに打ち勝つ大きさのときに、前記シーソー部材が回動し、前記止まり木が前記餌受け皿から遠離するようにして成ることを特徴とする鳥用給餌具。
【請求項２】
前記餌箱の下面と前記餌受け皿の底面との隙間を調整可能としたことを特徴とする請求項１に記載の鳥用給餌具。
【請求項３】
前記重りの重さを変更可能としたことを特徴とする請求項１又は請求項２に記載の鳥用給餌具。
【請求項４】
前記餌箱の上部に蓋を設け、該蓋は前記餌箱の周囲より外側に延びるひさしを有して成ることを特徴とする請求項１〜請求項３のいずれかに記載の鳥用給餌具。
【発明の詳細な説明】
【０００１】
【発明の属する技術分野】
本発明は、例えば庭先やベランダ等に設置して野鳥を招き、バードウォッチング等を楽しむための鳥用給餌具に関するものである。
【０００２】
【従来の技術】
従来より、例えば各家庭の庭先や、ベランダ或いはバルコニー、さらには工場の敷地等に設置して野鳥を招き、バードウォッチング等を楽しむための鳥用給餌具が市販されている。このような鳥用給餌具は、所望の場所に載置或いは吊り下げをするだけで、容易に餌場が形成されるので便利である。
【０００３】
具体的には、例えば漏斗状の底部を有する餌箱に、穀物や木の実等の野鳥が好む粒状の餌を入れておき、その底部の孔より餌を自重により排出する構成となっている。排出された餌は、餌箱の下側に設けた餌受け皿に溜められるが、或る程度溜まるとこれにより餌箱底部の孔が塞がれ、排出が停止する。そして、飛来した野鳥が餌受け皿の餌を食べるに従って、溜まっていた餌が減少し、再び餌箱底部の孔が開いて、餌箱より餌受け皿へと餌が自動的に追加供給される仕組みである。
【０００４】
【発明が解決しようとする課題】
しかしながら、上述したような従来の鳥用給餌具では、スズメ等の小鳥は餌受け皿の中に入り込み、好みの餌を選り分けようとするので、餌が餌受け皿から飛び出してしまい、無駄が多い上に、鳥用給餌具の周辺が餌で汚れてしまうこととなる。また、スズメ等の小鳥が餌を食べるのであれば、餌箱内の餌は比較的長期間、例えば一週間程度残存することもあるが、ハト等の中型或いはそれ以上の大型の鳥（カラス等）が飛来した場合は餌を食い荒らすので、餌箱内の餌が一日或いは二日で無くなってしまうときがあり、無駄が多い上に頻繁に餌を補填する必要が生じる。
【０００５】
一方、バードウォッチングの盛んな米国では、餌がリス等の小動物に食べられてしまう問題があり、これを防止するために、回転部に小動物が飛び乗ると、体重で判別して急速に回転し、小動物を振り落とす構成を持つ鳥用給餌具が市販されている。或いは、餌受け皿に小動物が乗ると、電気ショックを与えるといったものもある。ところが、このような構成とするには電気部品が必要であり、高価となる上に、蓄電された電気が消耗すると動作しなくなるので、時々充電或いは電池交換等を行う必要があり、手間が掛かる。
【０００６】
また、上述したように、日本では小動物よりも、むしろハト等の中型或いはそれ以上の大型の鳥に餌を食い荒らされることが多いので、これについての対策が重要である。本発明は、このような問題点に鑑み、簡単な構成で、餌を無駄にすることが少なく、しかも給餌の対象とする野鳥の大きさを自動的に選別することが可能な鳥用給餌具を提供することを目的とする。
【０００７】
【課題を解決するための手段】
上記目的を達成するために、本発明では、餌を入れておく餌箱と、その餌箱の下側に設けた餌受け皿とを有し、前記餌箱下面の排出口より前記餌をその自重により排出して、前記餌受け皿に前記餌を供給する鳥用給餌具において、
一端に止まり木を設け他端に重りを設けて回動可能としたシーソー部材を備え、前記止まり木が前記餌受け皿の近傍となるように前記シーソー部材を配置して、前記止まり木に留まった鳥の体重が前記重りに打ち勝つ大きさのときに、前記シーソー部材が回動し、前記止まり木が前記餌受け皿から遠離するようにして成ることを特徴とする。
【０００８】
また、前記餌箱の下面と前記餌受け皿の底面との隙間を調整可能としたことを特徴とする。また、前記重りの重さを変更可能としたことを特徴とする。また、前記餌箱の上部に蓋を設け、その蓋は前記餌箱の周囲より外側に延びるひさしを有して成ることを特徴とする。
【０００９】
【発明の実施の形態】
以下、本発明の実施の形態について、図面を参照しながら説明する。図１は、本発明の鳥用給餌具Ｓの一実施形態を模式的に示す縦断面図である。同図において、１は餌箱、２は蓋、３は餌受け皿である。餌箱１は、例えば略円筒状の外形をしており、漏斗状の底部１ａを有している。底部１ａは、下方へ向かってテーパ状に縮径しており、その下端中心部には餌を排出する排出口１ｂが開けられ、餌箱１下面で開口している。一方、餌箱１の上端は全体が開口している。
【００１０】
また、餌箱１の上部には、蓋２が設けられている。蓋２は、例えば上端が尖っていて下方周囲が広がった屋根形状をしており、餌箱１の周囲より外側に延びるひさし２ａを有している。また、蓋２の下面には例えばリング状の枠２ｂが突設しており、これが餌箱１の上部開口縁部と嵌合することにより、蓋２が餌箱１に取り付けられる。なお、蓋２は必ずしも屋根形状をしている必要はなく、一般的なキャップ形状やその他の形状であっても構わない。
【００１１】
餌箱１に餌４を入れる際には、餌箱１から蓋２を取り外し、餌４を入れた後、再び餌箱１に蓋２を取り付けることとなる。餌４の種類としては、一般的にアワ，ヒエ，カナリヤシード，ボレー粉等が挙げられる。また、比較的大粒の餌としては、ヒマワリの種，トウモロコシ，麻の実，落花生等が挙げられる。
【００１２】
さらに、餌箱１の下側には、餌受け皿３が配設されている。これは、例えば略円板状の底板３ａの周縁部に、帯状の囲い枠３ｂを巻き付けた構成となっている。但し、このような構成に限定される訳ではなく、例えば一体構造で皿状に形成したものとしても良い。なお、鳥用給餌具Ｓを吊り下げる吊り下げ線Ｗが、蓋２頂部に設けた小孔２ｃを通り、餌受け皿３中心までを貫いている。また、餌箱１の下面と、底板３ａの上面即ち餌受け皿３の底面との間には、所定の隙間が設けてある。
【００１３】
そして、上記従来技術と同様にして、餌箱１に粒状の餌４を入れておくと、底部１ａを伝って排出口１ｂより餌４が自重により排出される。排出された餌４は餌受け皿３に溜められるが、或る程度溜まると、この餌４により排出口１ｂが塞がれ、排出が停止する。そして、飛来した野鳥が餌受け皿３の餌４を食べるに従って、溜まっていた餌４が減少し、再び排出口１ｂが開いて、餌箱１より餌受け皿３へと餌４が自動的に追加供給される仕組みである。このとき、上記蓋２に設けたひさし２ａの働きにより、少々の雨が降っても餌受け皿３内の餌４が濡れないようになっている。なお、餌箱１に餌受け皿３を取り付ける具体的な構造については後述する。
【００１４】
加えて、底板３ａの下面即ち餌受け皿３の下面には、軸受け５及びこれに設けた軸６が取り付けられており、シーソー部材７が軸６を中心として旋回可能に枢支されている。シーソー部材７は、通常状態において軸６近傍より略水平方向に延びるアーム７ａと、軸６近傍より斜め下方に延びるアーム７ｂとを有している。アーム７ａとアーム７ｂは、９０度より大きく１８０度より小さい所定の好適な角度αを成している。
【００１５】
アーム７ａ先端には、上方に延びるアーム７ｃが設けられており、更にその先端には止まり木８が略水平状態に取り付けられている。このとき、止まり木８は餌受け皿３の周辺部近傍にあり、高さも同様の位置関係となっている。一方、アーム７ｂ先端には、所定の重さの重り９が取り付けられており、これによりアーム７ｂに生じる力のモーメントにより、通常状態においてアーム７ａが餌受け皿３の下面に押し付けられ、略水平を保つようになっている。なお、通常状態とは、止まり木８に野鳥が止まっていない状態を言う。
【００１６】
その他、餌箱１下部側面の止まり木８に対向する位置には、野鳥が餌４を食べやすいようにするため、底部１ａの外側に開口部１ｃが設けてある。但し、開口部１ｃ内に野鳥が入り込むことにより、餌４が餌受け皿３から飛び出してしまう恐れがあるので、これを防止するために、開口部１ｃ前面に図示しない柵を設けても良い。
【００１７】
なお、同図ではシーソー部材７を左右に１つずつ設けた構成が描いてあるが、これに限定されるものでは勿論なく、アーム同士が干渉しないように配置すれば、いくつ設けても構わない。また、例えば餌受け皿３の下面より別途脚部を延ばすようにすれば、鳥用給餌具Ｓを所望の面上に載置して使用することが可能となる。
【００１８】
また、図示しないが、シーソー部材７を餌受け皿３の下面に設けるのではなく、例えば餌受け皿３の下面よりフレームを延ばして、これにシーソー部材７を取り付けるようにしても良い。こうすれば、シーソー部材７の配置の自由度がアップし、またフレームを鳥用給餌具Ｓの載置台に兼用した設計とすることもできるので有利である。
【００１９】
さて、同図に示すように、止まり木８に小鳥１０が留まった場合は、その体重によりアーム７ａに力のモーメントが生じ、アーム７ａは餌受け皿３から離れる方向に回転しようとする。ところが、重り９の重さが充分であり、これによりアーム７ｂに生じる力のモーメントが、小鳥１０の体重によりアーム７ａに生じる力のモーメントに打ち勝つ大きさであれば、アーム７ａは餌受け皿３下面に当接したままであり、アーム７ａ即ちシーソー部材７は回転しない。このため、小鳥１０は固定された止まり木８に留まりつつ、餌受け皿３へ首を伸ばして餌４を良好についばむことができる。
【００２０】
一方、図２に示すように、止まり木８に例えば中型の鳥１１が留まった場合は、その体重が比較的大きいので、これによりアーム７ａに生じる力のモーメントが、重り９によりアーム７ｂに生じる力のモーメントよりも大きくなり、シーソー部材７が回転してアーム７ａが餌受け皿３下面から離れる。さらに、アーム７ｂが餌受け皿３下面に押し付けられるまでシーソー部材７が回転するので、このとき止まり木８は大幅に下がってしまい、餌受け皿３から遠離するので、鳥１１は餌４をついばむことができなくなる。このようにして、給餌の対象とする野鳥の大きさを自動的に選別することが可能となる。なお、同図では左側のシーソー部材７及びその関連部材の図示を省略している。
【００２１】
ちなみに、小型の鳥（小鳥）の卑近な例として、スズメの体重は２０〜２５ｇであり、またウグイスは１４〜１８ｇ、メジロは約１０ｇとなっている。従って、例えばスズメの体重に打ち勝つように重り９を設定することにより、身近な小鳥のみを給餌の対象とするべく選別することができる。一方、中型の鳥の代表例としてはキジバトがあり、その体重は約２２０ｇとスズメの体重の１０倍程度もあるので、スズメ等の小鳥とは確実に区別することができる。
【００２２】
さらに、中型の鳥も給餌の対象として良いのであれば、その体重に打ち勝つように重り９の重さを変更するだけで済む。この時、重り９を異なる重さのものに交換する構成としても良いし、他の重りを追加する構成としても良い。ちなみに、大型の鳥の代表例であるカラスの体重は３２０〜６８６ｇであるので、中型の鳥とは確実に区別することができる。
【００２３】
図３は、餌箱に餌受け皿を取り付ける構造を示す断面図である。同図に示すように、餌箱１の下面より下方に支持棒１２が延びており、これが餌受け皿３の底板３ａに開けられた孔３ａａに貫通している。また、底板３ａの下面で孔３ａａの周りには、穴ぐり３ａｂが施してある。支持棒１２表面には雄ネジが切ってあり、これに蝶ナット１３が螺合している。蝶ナット１３先端にはフランジ１３ａが設けてあり、穴ぐり３ａｂに填め込んでこれを支持板１４で下側から支持している。支持板１４は、底板３ａに例えばネジ１５により固定されている。これにより、餌箱１が餌受け皿３から浮き上がった状態で固定される。
【００２４】
この構成において、蝶ナット１３を回すと、餌箱１が上下し、餌箱１の下面と底板３ａの上面即ち餌受け皿３の底面との隙間ｔが変化する。これにより、餌４が排出される量を調整する。但し、餌４をあまり多く出すと、鳥は好みのものを選り分けようとするので、餌４が餌受け皿３から飛び出してしまうことがある。これを防止するため、餌４が少しずつ排出されるように、隙間を調整すると良い。このとき、餌４がヒエ，アワ等の比較的小粒のものであれば隙間を小さくし、トウモロコシ，ヒマワリの種等の比較的大粒のものであれば隙間を大きくすると良いことは言うまでもない。
【００２５】
図４は、本発明の鳥用給餌具Ｓの他の実施形態を模式的に示す縦断面図である。同図に示すように、本実施形態では、餌箱１から餌受け皿３までの構成は、上記一実施形態と同様であるが、軸受け５をより下方に延ばし、軸６を餌受け皿の下面から離れた位置に設けている。また、アーム７ａとアーム７ｂは、９０度より大きく１８０度より小さい所定の好適な角度を成している。そして、アーム７ａの先端には止まり木８が略水平状態に取り付けられている。一方、アーム７ｂの先端には紐１６により縦長の重り９が吊り下げられている。なお、重り９を取り付ける構造は、これに限定されない。
【００２６】
本実施形態のように、軸受け５を下方に延ばして軸６を餌受け皿の下面から離れた位置に設け、またアーム７ａとアーム７ｂが上記所定の角度を成す構成とすることにより、重り９に打ち勝つ体重の鳥が止まり木８に留まった場合は、シーソー部材７がより大きく回転するので、止まり木８はより大幅に下がることとなる。このようにして、更に大型の鳥にも対処することが可能となる。
【００２７】
なお本発明は、上述した実施形態の、具体的な構成に限定されるものではない。つまり、上記の説明により、本発明については様々な修飾や変形をすることが可能であることは明らかである。よって、本発明は、具体的な記述にとらわれることなく、付記した請求の範囲内で実施されるものと解されたい。
【００２８】
【発明の効果】
以上説明したように、本発明によれば、簡単な構成で、餌を無駄にすることが少なく、しかも給餌の対象とする野鳥の大きさを自動的に選別することが可能な鳥用給餌具を提供することができる。
【図面の簡単な説明】
【図１】本発明の鳥用給餌具の一実施形態を模式的に示す縦断面図。
【図２】止まり木に中型の鳥が留まった場合を示す図。
【図３】餌箱に餌受け皿を取り付ける構造を示す断面図。
【図４】本発明の鳥用給餌具の他の実施形態を模式的に示す縦断面図。
【符号の説明】
１    餌箱
２    蓋
３    餌受け皿
４    餌
５    軸受け
６    軸
７    シーソー部材
８    止まり木
９    重り
１０    小鳥
１１    鳥
１２    支持棒
１３    蝶ナット
１４    支持板
１５    ネジ
１６    紐
Ｓ    鳥用給餌具
Ｗ    吊り下げ線
【図１】
2005006543.tif 000003
【図２】
2005006543.tif 000004
【図３】
2005006543.tif 000005
【図４】
2005006543.tif 000006